(57)【要約】【課題】      転倒ます型雨量計において、転倒ますから排水される雨水を受ける排水口及びこれに繋がる排水細管の凍結を防ぐことを目的としている。【解決手段】      上方に向けて開口する受水器５と、この受水器５の下方に設けられる濾水器１１と、この濾水器１１からの水を受けて所定量が溜まると軸を支点として揺動し、前記水を排水する転倒ます１６と、前記転倒ます１６の下方に設けられた排水口１８ａ，１８ｂとを備えている。そして、前記受水器５は外筒２に取付けられ、前記その端の機器は基台２５に取付けられ、この基台２５を前記外筒２内に配設して転倒ます型の雨量計が構成されている。それから、前記排水口１８ａ，１８ｂに繋がる排水口細管１９ａ，１９ｂが前記基台２５を突き抜けて前記転倒ます型雨量計の底部の下方に突出すると共に、その底部に筒状のカバー２９を設けて底部空間３１を持つようにしている。【選択図】      図１
0003145439.tif 000002
【実用新案登録請求の範囲】
【請求項１】
上方に向けて開口する受水器と、この受水器の下方に設けられる濾水器と、この濾水器からの水を受けて所定量が溜まると軸を支点として揺動し、前記水を排水する転倒ますと、この転倒ますの揺動数から水の量を計測する計測手段と、前記転倒ますの下方に設けられた排水口とを備え、
前記受水器は外筒に取付けられ、前記その他の部材は基台に取付けられ、この基台を前記外筒内に配設した構造の転倒ます型雨量計において、
前記排水口に繋がる排水口細管が前記基台を突き抜けて前記転倒ます型雨量計の底部の下方に突出すると共に、その底部に筒状のカバーを設けて底部空間を有するようにしたことを特徴とする転倒ます型雨量計。
【請求項２】
前記カバーの下端は、前記基台に取付けられた脚の台座固定部へ限りなく近づけたことを特徴とする請求項１記載の転倒ます型雨量計。
【請求項３】
前記カバーは、前記外筒の下端を下方へ延設した筒状部材により成ることを特徴とする請求項１又は２記載の転倒ます型雨量計。
【請求項４】
前記カバーは、前記基台に取付けられ、下方へ延びる筒状部材により成ることを特徴とする請求項１又は２記載の転倒ます型雨量計。
【考案の詳細な説明】
【技術分野】
【０００１】
この考案は、雨水や雪の量を計測する雨量計に関する。
【背景技術】
【０００２】
従来、雨量計の一つとしての雨雪量計があり、この雨雪量計は、上方に向けて開口する受水器と、この受水器の下方に設けられる濾水器と、この濾水器からの水を受けて所定量が溜まると軸を支点として揺動し、前記水を排水口へ排水する転倒ますと、この転倒ますの軸に設けられた磁石と、この磁石によりオン、オフされるリードスイッチと、このリードスイッチからのパルス信号にもとづいて計数する計数手段とより構成され、外気温が０℃以下となる冬場にあって、雨水や雪の凍結を防止するために、例えば特許文献１に示すように、受水器の底面にヒータ８を設けていた。
【０００３】
また、同様に当出願人の先の出願の特許文献２にあっては、受水器５の裏面にヒータ９を設けると共に、濾水器１１を温めるために、濾水器保持板１２にもヒータ１４を設け、さらに、排水口１８ａ，１８ｂを温める伝熱板２１にヒータ２２を設けて、雨水や雪の凍結の防止を図ることで、計測の不都合を防いでいた。
【特許文献１】特開平５−２２３９５２号公報
【特許文献２】特開２００５−２１４７７１号公報
【考案の開示】
【考案が解決しようとする課題】
【０００４】
前記雨雪量計には、気温の低下により雨水や雪が凍結するのを防ぐために、前述の特許文献１及び２に示すように、加熱のためのヒータが付設されているが、凍結の防止に充分ではない。特に排水口から外部へ導水する排水口細管は、基台から外部に露出し、その露出部位が外気や強風に晒され、気温が０℃以下に降下時に前記したヒータによっても、排水口細管の温度を０℃以下に保てない時もあり、排水口細管を通る雨水を凍結させてしまうことがあった。
【０００５】
凍結されると、雨水が排出されなくなり、雨水が雨雪量計内に溢れて機器の故障の原因ともなっていた。それは、雨量計にも言えることで、排水口細管が凍結することで、前述した同様のことが生じてしまうことになる。
【０００６】
このため、この考案は、転倒ます型雨量計において、排水口細管の保温効率を向上させて、この排水口細管の凍結を防止することを課題としている。
【課題を解決するための手段】
【０００７】
この考案に係る転倒ます型雨量計は、上方に向けて開口する受水器と、この受水器の下方に設けられる濾水器と、この濾水器からの水を受けて所定量が溜まると軸を支点として揺動し、前記水を排水する転倒ますと、この転倒ますの揺動数から水の量を計測する計測手段と、前記転倒ますの下方に設けられた排水口とを備え、前記受水器は外筒に取付けられ、前記その他の部材は基台に取付けられ、前記基台を前記外筒内に配設した構造の転倒ます型雨量計において、前記排水口に繋がる排水細管が前記基台を突き抜けて前記転倒ます型雨量計の底部の下方に突出すると共に、その底部に筒状のカバーを設けて底部空間を有するようにしたことにある（請求項１）。
【０００８】
これにより、転倒ます型雨量計の底部から下方へカバーが設けられて、底部空間が形成され、その内部での空気の流動が少なくなり、排水口細管が外気や強風に晒されなくなる。そのため、保温効果が向上して凍結の頻度が減少する。それから、雨量計の一つであるヒータ付の雨雪量計では、底部空間にヒータで保温された空気が溜まり、保温効果がさらに向上して凍結の防止が図られる。
【０００９】
前記カバーの下端は、前記基台に取付けられた脚の台座固定部へ限りなく近づけたことを特徴としている（請求項２）。これにより、底部空間に外気や強風の入り込みを防ぐと共に、排水口細管から排水された雨水の流出を確保している。
【００１０】
前記カバーは、前記外筒の下端を下方へ延設した筒状部材より成ることを特徴とし（請求項３）、前記外筒を利用し、一体型の筒状部材より底部空間を構成している。
【００１１】
前記カバーは、前記基台に取付けられ、下方へ延びる筒状部材より成ることを特徴とし（請求項４）、前記外筒とは別体で、基台に筒状部材を取付けて、底部空間を構成している。
【考案の効果】
【００１２】
以上のように、この考案によれば、転倒ます型雨量計の底部を覆うカバーにより、底部空間が作られ、排水口細管の周囲の雰囲気温度を外気より高めに保持できるようになり、凍結頻度を減少させることができる。特にヒータをもつ転倒ます型雪雨量計においては、底部空間にヒータで保温された空気が溜まり、保温効果を向上させることができる。そして、保温効果が向上したため、消費する電力も少なくなり、環境にもやさしい計器を提供できる。
【考案を実施するための最良の形態】
【００１３】
以下、この考案の実施例を図面に基づいて説明する。
【実施例１】
【００１４】
図１に転倒ます型雨量計の一つである雨雪量計の一部切欠の正面図、図２に同上の底面図、図３に同上の上方側を削除した正面図が示されている。雨雪量計１は、円筒の外筒２の上方が開口しており、その上方に、漏斗状の受水器５が、前記筒２の開口３から少し入った位置に取付けられている。したがって、開口３から入る雨水は受水器５により集められ、排水孔６より下記する濾水器１１に流出される。尚、７は前記外筒２の外側に設けられた不凍液が入れられる不凍液室である。
【００１５】
濾水器１１は、漏斗状で、金属製の濾水器保持板１２ａ，１２ｂに支えられ、この保持板１２ａ，１２ｂが下記する基台２５上に立設されている。またこの濾水器１１は、下記する転倒ます１６の上方にあり、雨水は排出孔１３から、転倒ます１６に流出される。
【００１６】
転倒ます１６は、２つの受水部１６ａ，１６ｂを持ち、中心を揺動軸にて前記保持板１２ｂにより支えられ、基台２５上に立設されている。転倒ます１６の受水部に水が溜まると、その重さで揺動軸を支点として揺動するもので、揺動により雨水は下記する排水口１８ａ，１８ｂに排出される。この転倒ます１６の揺動により、揺動軸に固着の磁石が揺動し、１回の揺動によりリードスイッチを１回オンオフさせる。したがって、その揺動数が図示しない磁石とリードスイッチによる計測手段によりパルスとして検出され、パルスを計数することで雨水の量が検出される。
【００１７】
排水口１８ａ，１８ｂは、金属により製造された筒状のもので、前記転倒ます１６の下部で、それを挟んで対称位置に設けられ、基台２５上に立設されている。この排水口１８ａ，１８ｂ内に落下した雨水は、その底面に取付けられている排水口細管１９ａ，１９ｂにより導かれ、外部に排出されるか、この排出口細管１９ａ，１９ｂは、基台２５を突き抜け、転倒ます型雨雪量計１の底部に突出している。
【００１８】
ヒータ２０は、基台２５に立設され、金属により製造の伝熱板上に設けられ、前記排水口１８ａ，１８ｂに接触されて、このヒータ２０の発熱が排水口１８ａ，１８ｂに伝えられて凍結の防止を図っていると共に、転倒ます１６の周囲の温度を上昇させてこの転倒ます１６の保温も図っている。また、このヒータ２０は図示しないサーモスタットにより通電が制御され、例えば気温が１０℃にて通電される。さらに、このヒータ２０以外に前記排水口細管１９ａ，１９ｂにもヒータ２１ａ，２１ｂが取付けられて、排水口細管１９ａ，１９ｂの凍結の防止も図られている。このヒータ２１ａ，２１ｂの通電制御も、前記したサーモスタットにより同様に行われる。
【００１９】
基台２５は、前記した外筒２の内径寸法と同一の嵌入部位２５ａと、前記内径寸法よりも多少大きいつば部２５ｂとより成り、底面に断熱シート２６が添着されている。この基台２５は、その上面に前記したように、濾水器１１、転倒ます１６、排水口１８ａ，１８ｂ、排水口細管１９ａ，１９ｂ及びヒータ２０等が固定されていて、この基台２５を前記外筒２内に下端から挿入すると、前記した種々の機器が組付けられる。２７は脚で、前記基台２５の底面に固着されている。２７ａは台座に固定する台座固定部である。
【００２０】
カバー２９は、前記外筒２の下端を、その内径を拡大した上で下方へ前記脚の台座固定部２７ａに近づく所定寸法Ｌを延設して形成の筒状部材より成るものである。そのため、内部に段部が形成され、基台２５が挿入されると、所定寸法Ｌだけ入り込み、基台２７の底面とカバー２９とで、雨雪量計１の底部の下方に底部空間３１を有するようになる。
【００２１】
この底部空間３１があることで、前記排水口細管１９ａ，１９ｂが外気や強風に晒されなくなる。そのため、ヒータ２１ａ，２１ｂで保温された空気が溜まり、保温効果が向上し、凍結が防止される。
【実施例２】
【００２２】
図４において、この考案の第２の実施例が示され、カバー２９を前記実施例と異なり、外筒２とは別体で、前記基台２５の外周に筒状部材を取付けて、カバー２９を構成している。この第２の実施例でも、前記外筒２の下端より基台２５を嵌入すると、雨雪量計１の底部にカバー２９による底部空間３１を持たすことができるようになる。
【００２３】
この第２の実施例では、外筒２を延設加工することなく、前記つば部２５ｂの径寸法と同じ径で、しかも所定の長さＬとする筒状部材を作り、それを基台２５に取付ければ良いため、従来の外筒を設計変更することなく、直ちに実施ができる。このような構成の第２の実施例でも、前記した実施例と同様な作用効果を奏することができる。なお、説明が重複するのを避けるため、前記実施例と同一部分は同一符号を付して説明を省略する。
【００２４】
前記した実施例は、転倒ます型雨雪量計により説明しているが、これに限ら
ず、狭義の転倒ます型雨量計に実施できることは勿論である。
【図面の簡単な説明】
【００２５】
【図１】この考案の第１の実施例の一部を切欠する正面図である。
【図２】同上の底面図である。
【図３】同上の上方側を削除した正面図である。
【図４】この考案の第２の実施例を示し、基台にカバーを取付けた状態で、外筒への組付前の正面図である。
【符号の説明】
【００２６】
１  転倒ます型雨雪量計
２  外筒
３  開口
５  受水器
６  排水孔
１１  濾水器
１６  転倒ます
１８ａ，１８ｂ  排水口
１９ａ，１９ｂ  排水口細管
２０  ヒータ
２１ａ，２１ｂ  ヒータ
２５  基台
２５ａ  嵌入部位
２７  脚
２９  カバー
３１  底部空間
【図１】
0003145439.tif 000003
【図２】
0003145439.tif 000004
【図３】
0003145439.tif 000005
【図４】
0003145439.tif 000006